(57)【要約】【課題】画像表示装置で発生する動画ボケを、表示画像の輝度レベルの減衰を抑制しつつ改善する。【解決手段】画像メモリは入力される複数フレームの入力画像データを順次記憶する。書き込み制御部は前記画像メモリへの書き込みを制御する。読出制御部は前記画像メモリからの読み出しを制御する。駆動画像データ制御部は前記画像メモリから順次読み出された読出画像データから前記駆動画像データを生成する。前記駆動画像データ生成部は、前記読出画像データの少なくとも一部をマスクデータに置き換えて前記駆動画像データを生成る。前記マスクデータの表す画素値は、前記マスクデータに置き換えられる画素に対応する前記読出画像データの表す画素値に応じて決定される。【選択図】図１
2006309252.tif 000002
【特許請求の範囲】
【請求項１】
画像表示装置を駆動するための駆動画像データを生成する画像データ処理装置であって、
入力される複数フレームの入力画像データを順次記憶する画像メモリと、
前記画像メモリへの書き込みを制御する書込制御部と、
前記画像メモリからの読み出しを制御する読出制御部と、
前記画像メモリから順次読み出された読出画像データから前記駆動画像データを生成する駆動画像データ生成部と、を備え、
前記駆動画像データ生成部は、前記読出画像データの少なくとも一部をマスクデータに置き換えて前記駆動画像データを生成し、
前記マスクデータの表す画素値は、前記マスクデータに置き換えられる画素に対応する前記読出画像データの表す画素値に応じて決定されることを特徴とする画像データ処理装置。
【請求項２】
前記マスクデータは、前記読出画像データの表す画像全体の動き量に応じて決定される所定のパラメータに基づいて、前記マスクデータに置き換えられる画素に対応する前記読出画像データを演算処理することにより生成されることを特徴とする請求項１記載の画像データ処理装置。
【請求項３】
前記所定のパラメータは、前記マスクデータの前記対応する読出画像データの画素値に対する比率が、０から１までの範囲内で、かつ、前記動き量が大きくなるに従って小さく、前記動き量が小さくなるに従って大きくなるように、設定されていることを特徴とする請求項２記載の画像データ処理装置。
【請求項４】
請求項３記載の画像データ処理装置であって、
前記動き量が所定量よりも大きい場合には、前記比率が１となるように前記所定のパラメータを設定することを特徴とする画像データ処理装置。
【請求項５】
前記所定量は、眼球の追従運動の速度限界を示す限界視角速度に相当する大きさであることを特徴とする請求項４記載の画像データ処理装置。
【請求項６】
請求項１ないし請求項５のいずれかに記載の画像データ処理装置であって、
前記駆動画像データ生成部は、前記画像表示装置で表示される画像のｍ本（ｍは１以上の整数）の水平ラインごとに、前記読出画像データと前記マスクデータとが交互に配置された駆動画像データであって、前記読出画像データと前記マスクデータとの配置順が互いに異なる第１と第２の駆動画像データを生成することを特徴とする画像データ処理装置。
【請求項７】
ｍ＝１であることを特徴とする請求項６記載の画像データ処理装置。
【請求項８】
請求項６または請求項７記載の画像データ処理装置であって、
前記駆動画像データ生成部は、前記画像表示装置で表示される画像の単位で、前記第１の駆動画像データと前記第２の駆動画像データとを交互に生成することを特徴とする画像データ処理装置。
【請求項９】
請求項１ないし請求項５のいずれかに記載の画像データ処理装置であって、
前記画像データ生成部は、前記画像表示装置で表示される画像のｎ本（ｎは１以上の整数）の垂直ラインごとに、前記読出画像データと前記マスクデータとが交互に配置された駆動画像データであって、前記読出画像データと前記マスクデータとの配置順が互いに異なる第１と第２の駆動画像データを生成することを特徴とする画像データ処理装置。
【請求項１０】
ｎ＝１であることを特徴とする請求項９記載の画像データ処理装置。
【請求項１１】
請求項９または請求項１０記載の画像データ処理装置であって、
前記駆動画像データ生成部は、前記画像表示装置で表示される画像の単位で、前記第１の駆動画像データと前記第２の駆動画像データとを交互に生成することを特徴とする画像データ処理装置。
【請求項１２】
請求項１ないし請求項５のいずれかに記載の画像データ処理装置であって、
前記駆動画像データ生成部は、前記画像表示装置で表示される画像の水平方向にｐ画素（ｐは１以上の整数）で垂直方向にｑ画素（ｑは１以上の整数）のブロック単位で、前記水平方向および前記垂直方向に前記読出画像データと前記マスクデータとが交互に配置された駆動画像データであって、前記読出画像データと前記マスクデータとの配置順が互いに異なる第１と第２の駆動画像データを生成することを特徴とする画像データ処理装置。
【請求項１３】
ｐ＝ｑ＝１であることを特徴とする請求項１２記載の画像データ処理装置。
【請求項１４】
請求項１２または請求項１３記載の画像データ処理装置であって、
前記駆動画像データ生成部は、前記画像表示装置で表示される画像の単位で、前記第１の駆動画像データと前記第２の駆動画像データとを交互に生成することを特徴とする画像データ処理装置。
【請求項１５】
請求項１ないし請求項５のいずれかに記載の画像データ処理装置であって、
前記駆動画像データ生成部は、前記画像表示装置で表示される画像の、各水平ラインに並ぶｒ個（ｒは３以上の整数）の画素につき連続するｓ個（ｓはｒの約数）の画素に前記マスクデータが配置されるとともに、前記ｒ個の画素に対する前記ｓ個の画素の位置はｔ本（ｔは１以上の整数）の前記水平ラインごとに交互にずれた位置とされる駆動画像データであって、前記マスクデータの配置位置が互いに異なる第１ないし第（ｒ／ｓ）の駆動画像データを生成することを特徴とする画像データ処理装置。
【請求項１６】
請求項１５記載の画像データ処理装置であって、
前記駆動画像データ生成部は、前記画像表示装置で表示される画像の単位で、前記第１ないし第（ｒ／ｓ）の駆動画像データを順に生成することを特徴とする画像データ処理装置。
【請求項１７】
請求項１ないし請求項５のいずれかに記載の画像データ処理装置であって、
前記駆動画像データ生成部は、前記駆動画像データとして、前記画像表示装置で表示される画像の全体が前記読出画像データである第１の駆動画像データと、前記画像表示装置で表示される画像の全体が前記マスクデータである第２の駆動画像データとを生成することを特徴とする画像データ処理装置。
【請求項１８】
請求項１ないし請求項１７のいずれかに記載の画像データ処理装置であって、
前記読出画像データは、前記複数フレームの入力画像データが入力されるフレームレートの複数倍のレートで前記画像メモリから読み出されることを特徴とする画像データ処理装置。
【請求項１９】
請求項２記載の画像データ処理装置であって、
前記駆動画像データ生成部は、前記画像表示装置の射出光量を制御する調光部により前記画像表示装置の射出光量を調整するための調光データを、前記動き量に応じて生成することを特徴とする画像データ処理装置。
【請求項２０】
請求項１ないし請求項１９のいずれかに記載の画像データ処理装置と、前記画像表示装置とを備える画像表示システム。
【請求項２１】
請求項２０記載の画像表示システムであって、さらに、
前記画像表示装置の射出光量を制御する調光部、を備え、
前記駆動画像データ生成部は、前記調光部により前記画像表示装置の射出光量を調整するための調光データを、前記動き量に応じて生成することを特徴とする画像表示システム。
【請求項２２】
請求項２１記載の画像表示システムであって、
前記画像表示装置は、非発光型の表示装置であり、
前記調光部は、
前記画像表示装置を照明する照明光を射出する光源と、
前記光源の射出光量を前記調光データに応じて制御する制御部と、を備えることを特徴とする画像表示システム。
【請求項２３】
請求項２２記載の画像表示システムであって、
前記光源は主光源と副光源とを備えており、
前記制御部は、前記副光源の射出光量を制御することを特徴とする画像表示システム。
【請求項２４】
画像表示装置を駆動するための駆動画像データを生成する画像データ処理方法であって、
複数フレームの入力画像データを画像メモリへ順次書き込む工程と、
前記画像メモリに順次書き込まれる前記入力画像データごとに、前記入力画像データを順次読み出す工程と、
前記画像メモリから順次読み出された読出画像データから前記駆動画像データを生成する工程と、を備え、
前記駆動画像データを生成する工程は、前記読出画像データの少なくとも一部をマスクデータに置き換えて前記駆動画像データを生成し、
前記マスクデータの表す画素値は、前記マスクデータに置き換えられる画素に対応する前記読出画像データの表す画素値に応じて決定されることを特徴とする画像データ処理方法。
【発明の詳細な説明】
【技術分野】
【０００１】
この発明は、液晶表示装置に代表される蓄積型表示装置における動画像のボケを改善する信号処理技術に関する。
【背景技術】
【０００２】
液晶パネルを用いた液晶表示装置の普及が進んでいる。この液晶表示装置は、各画素が蓄積型の表示素子で構成される画像表示装置(以下、「蓄積型表示装置」と呼ぶ)である。蓄積型表示装置は、信号周波数の高域での応答特性が低下する低域通過型の時間周波数特性を有しているため、例えば、液晶表示装置で動画像を表示する場合、動画像中の物体の移動速度に応じて画像にボケ(以下、「動画像のボケ」あるいは「動画ボケ」と呼ぶ)が発生するという問題がある。また、蓄積型表示装置で動画像を表示する場合、人間の目が蓄積型表示装置上を動く物体を観測した際に網膜上に残像が起こることにより、動画像のボケが発生するという問題がある。
【０００３】
この問題を解決する手法として、例えば、下記の特許文献１に記載したものが知られている。
【０００４】
【特許文献１】特開２００２−１３２２２０号公報
【０００５】
上記手法では、フレームメモリに順次格納される各フレームの原画像の画像データを、各フレーム周期の２倍速で２回読み出すことにより、それぞれ第１フィールドおよび第２フィールドの２つの映像信号を生成し、第１フィールドの映像信号による画像の表示と第２フィールドの映像信号による画像の表示とにより、各フレームの原画像に対応する画像を表示している。また、第１フィールドでは、複数の水平ラインのうち偶数番目の水平ラインの画像データを黒色の画像データ（黒画像データ）に置き換えた映像信号を生成し、生成した第１フィールドの映像信号に対応する画像を表示する。一方、第２フィールドでは、奇数番目の水平ラインの画像データを黒画像データに置き換えた映像信号を生成し、生成した第２フィールドの映像信号に対応する画像を表示している。このようにして表示される画像のある水平ラインについて着目すると、その水平ライン中の各画素では、あるフィールドにおいて本来の画像データの表す画像を表示する場合に、その前のフィールドにおいて必ず黒画像を表示させることになる。これにより、その水平ライン中の各画素を、先に表示していた画像に対応する状態から、一旦黒画像を表示する状態にリセットしてから、次の画像を表示させることができるので、先に表示していた状態の影響をキャンセルすることができ、動画ボケを改善することができる。
【発明の開示】
【発明が解決しようとする課題】
【０００６】
しかしながら、上記手法の場合、各フィールドにおいて、それぞれ半分の水平ラインの画素が黒画像とされるため、１フレームの表示画像の輝度は、１フレームの原画像の輝度に対して理論的に半分の輝度に減衰することになる。
【０００７】
この発明は、従来技術における上述の課題を解決するためになされたものであり、上述した液晶表示装置のような蓄積型表示装置で発生する動画ボケを、表示画像の輝度レベルの減衰を抑制しつつ改善する技術を提供することを目的とする。
【課題を解決するための手段】
【０００８】
上記目的の少なくとも一部を達成するために、本発明の画像データ処理装置は、
画像表示装置を駆動するための駆動画像データを生成する画像データ処理装置であって、
入力される複数フレームの入力画像データを順次記憶する画像メモリと、
前記画像メモリへの書き込みを制御する書込制御部と、
前記画像メモリからの読み出しを制御する読出制御部と、
前記画像メモリから順次読み出された読出画像データから前記駆動画像データを生成する駆動画像データ生成部と、を備え、
前記駆動画像データ生成部は、前記読出画像データの少なくも一部をマスクデータに置き換えて前記駆動画像データを生成し、
前記マスクデータの表す画素値は、前記マスクデータに置き換えられる画素に対応する前記読出画像データの表す画素値に応じて決定されることを特徴とする。
【０００９】
上記画像データ処理装置によれば、読出画像データの少なくとも一部をマスクデータに置き換えて前記駆動画像データを生成することにより、画像表示装置で発生する動画ボケを改善することができる。また、読出画像データに置き換えられるマスクデータの表す画素値は、置き換えられる画素に対応する読出画像データの表す画素値に応じて決定されるため、画像表示装置で表示される画像の輝度レベルの減衰を抑制することができる。
【００１０】
特に、前記マスクデータは、前記読出画像データの表す画像全体の動き量に応じて決定される所定のパラメータに基づいて、前記マスクデータに置き換えられる画素に対応する前記読出画像データを演算処理することにより生成されることが好ましい。
【００１１】
このようにすれば、画像の動き量に応じてマスクデータを生成することができるので、画像の動き量に応じて効果的に動画ボケを改善することができる。
【００１２】
なお、前記所定のパラメータは、前記マスクデータの前記対応する読出画像データの画素値に対する比率が、０から１までの範囲内で、かつ、前記動き量が大きくなるに従って小さく、前記動き量が小さくなるに従って大きくなるように、設定されていることが好ましい。
【００１３】
こうすれば、画像の動き量に応じて効果的にマスクデータを生成することができる。
【００１４】
ここで、前記動き量が所定量よりも大きい場合には、前記比率が１となるように前記所定のパラメータを設定することを特徴とする画像データ処理装置。
【００１５】
こうすれば、所定量よりも大きい動き量の場合には、動画像ではなく静止画像として、画像を表示させることが可能である。
【００１６】
なお、前記所定量は、眼球の追従運動の速度限界を示す限界視角速度に相当する大きさであることが好ましい。
【００１７】
このようにすれば、動画像ではなく静止画像として画像を表示させる動き量を容易に設定することができる。
【００１８】
上記画像データ処理装置において、前記駆動画像データ生成部は、前記画像表示装置で表示される画像のｍ本（ｍは１以上の整数）の水平ラインごとに、前記読出画像データと前記マスクデータとが交互に配置された駆動画像データであって、前記読出画像データと前記マスクデータとの配置順が互いに異なる第１と第２の駆動画像データを生成することが好ましい。
【００１９】
上記のようにすれば、マスクデータが入力される画素では、マスクデータの表す画像が表示された後に新たな読出画像データの表す画像が表示される。このため、マスクデータが表示される前に表示されていた画像の影響を抑制して、新たな読出画像データの表す画像を表示することができるので、効果的に動画ボケを改善することができる。特に、垂直方向の移動を含む動画像に対して動画ボケを効果的に改善することができる。特に、ｍ＝１とすれば最も効果的である。
【００２０】
さらに、前記画像表示装置で表示される画像の単位で、前記第１の駆動画像データと前記第２の駆動画像データとを交互に生成することが好ましい。
【００２１】
上記のようにすれば、画像表示装置の各画素において、マスクデータの表す画像と読出画像データの表す画像とが交互に表示されることになるため、さらに効果的に動画ボケを改善することができる。
【００２２】
また、上記画像データ処理装置において、前記画像データ生成部は、前記画像表示装置で表示される画像のｎ本（ｎは１以上の整数）の垂直ラインごとに、前記読出画像データと前記マスクデータとが交互に配置された駆動画像データであって、前記読出画像データと前記マスクデータとの配置順が互いに異なる第１と第２の駆動画像データを生成することが好ましい。
【００２３】
上記のようにして駆動画像データを生成しても、効果的に動画ボケを改善することができる。特に、水平方向の移動を含む動画像に対して動画ボケを効果的に改善することができる。特に、ｎ＝１とすれば最も効果的である。
【００２４】
さらに、前記駆動画像データ生成部は、前記画像表示装置で表示される画像の単位で、前記第１の駆動画像データと前記第２の駆動画像データとを交互に生成することが好ましい。
【００２５】
上記のようにすれば、画像表示装置の各画素において、マスクデータの表す画像と読出画像データの表す画像とが交互に表示されることになるため、さらに効果的に動画ボケを改善することができる。
【００２６】
また、上記画像データ処理装置において、前記駆動画像データ生成部は、前記画像表示装置で表示される画像の水平方向にｐ画素（ｐは１以上の整数）で垂直方向にｑ画素（ｑは１以上の整数）のブロック単位で、前記水平方向および前記垂直方向に前記読出画像データと前記マスクデータとが交互に配置された駆動画像データであって、前記読出画像データと前記マスクデータとの配置順が互いに異なる第１と第２の駆動画像データを生成することが好ましい。
【００２７】
上記のようにすれば、水平方向だけでなく垂直方向の移動を含む動画像に対しても動画ボケを効果的に改善することができる。特に、ｐ＝ｑ＝１とすれば最も効果的である。
【００２８】
さらに、前記駆動画像データ生成部は、前記画像表示装置で表示される画像の単位で、前記第１の駆動画像データと前記第２の駆動画像データとを交互に生成することが好ましい。
【００２９】
上記のようにすれば、画像表示装置のマスクデータが入力される画素では、マスクデータの表す画像と読出画像データの表す画像とが交互に表示されることになるため、さらに効果的に動画ボケを改善することができる。
【００３０】
また、上記画像データ処理装置において、前記駆動画像データ生成部は、前記画像表示装置で表示される画像の、各水平ラインに並ぶｒ個（ｒは３以上の整数）の画素につき連続するｓ個（ｓはｒの約数）の画素に前記マスクデータが配置されるとともに、前記ｒ個の画素に対する前記ｓ個の画素の位置はｔ本（ｔは１以上の整数）の前記水平ラインごとに交互にずれた位置とされる駆動画像データであって、前記マスクデータの配置位置が互いに異なる第１ないし第（ｒ／ｓ）の駆動画像データを生成することも好ましい。
【００３１】
上記のようにしても、水平方向だけでなく垂直方向の移動を含む動画像に対しても動画ボケを効果的に改善することができる。
【００３２】
さらに、前記駆動画像データ生成部は、前記画像表示装置で表示される画像の単位で、前記第１ないし第（ｒ／ｓ）の駆動画像データを順に生成することが好ましい。
【００３３】
上記のようにすれば、画像表示装置の各画素において、第１ないし第（ｒ／ｓ）の駆動画像データが生成される（ｒ／ｓ）回に１回の割合で、マスクデータの表す画像が繰り返し表示されることになるため、さらに効果的に動画ボケを改善することができる。
【００３４】
また、上記画像データ処理装置において、前記駆動画像データ生成部は、前記駆動画像データとして、前記画像表示装置で表示される画像の全体が前記読出画像データである第１の駆動画像データと、前記画像表示装置で表示される画像の全体が前記マスクデータである第２の駆動画像データとを生成することも好ましい。
【００３５】
上記のようにして駆動画像データを生成しても、水平方向だけでなく垂直方向の移動を含む動画像に対しても動画ボケを効果的に改善することができる。
【００３６】
なお、上記各画像データ処理装置において、前記読出画像データは、前記複数フレームの入力画像データが入力されるフレームレートの複数倍のレートで前記画像メモリから読み出されるようにすることが好ましい。
【００３７】
このようにすれば、フリッカを抑制して効果的に駆動画像データを生成することができる。
【００３８】
また画像全体の動き量に応じてマスクデータを生成する場合において、前記駆動画像データ生成部は、前記画像表示装置の射出光量を制御する調光部により前記画像表示装置の射出光量を調整するための調光データを、前記動き量に応じて生成することが好ましい。
【００３９】
上記のようにすれば、動画ボケを改善するために発生した表示画像の輝度レベルの減衰を効果的に抑制することができる。
【００４０】
なお、上記画像データ処理装置により、前記画像表示装置を備える画像表示システムを構成することができる。
【００４１】
特に、上記画像表示システムにおいて、さらに、
前記画像表示装置の射出光量を制御する調光部、を備え、
前記駆動画像データ生成部は、前記調光部により前記画像表示装置の射出光量を調整するための調光データを、前記動き量に応じて生成することが好ましい。
【００４２】
上記のようにすれば、動画ボケを改善するために発生した表示画像の輝度レベルの減衰に対して、画像表示装置の射出光量を調整することにより効果的に抑制することができる。
【００４３】
なお、前記画像表示装置は、非発光型の表示装置であり、
前記調光部は、
前記画像表示装置を照明する照明光を射出する光源と、
前記光源の射出光量を前記調光データに応じて制御する制御部と、を備えることにより構成することができる。
【００４４】
また、前記光源は主光源と副光源とを備えており、
前記制御部は、前記副光源の射出光量を制御することにより実現することもできる。
【００４５】
なお、本発明は、上記した画像データ処理装置や画像表示システムなどの装置発明の態様に限ることなく、画像データ処理方法などの方法発明としての態様で実現することも可能である。さらに、方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００４６】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ／ＲＡＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００４７】
以下、本発明の実施の形態を実施例に基づいて以下の順序で説明する。
Ａ．第１実施例：
Ａ１．画像表示システムの全体構成：
Ａ２．駆動画像データ生成部の構成および動作
Ａ３．実施例の効果：
Ａ４．駆動画像データ生成動作の変形例：
Ｂ．第２実施例：
Ｃ．第３実施例：
Ｄ．変形例：
【００４８】
Ａ．第１実施例：
Ａ１．画像表示システムの全体構成：
図１は、この発明の第１実施例としての画像データ処理装置を適用した画像表示システムの構成を示すブロック図である。この画像表示システムＤＰ１は、画像データ処理装置としての信号変換部１０と、フレームメモリ２０と、メモリ書込制御部３０と、メモリ読出制御部４０と、駆動画像データ生成部５０と、動き量検出部６０と、液晶パネル駆動部７０と、ＣＰＵ８０と、メモリ９０と、蓄積型表示装置としての液晶パネル１００と、を備えるコンピュータシステムである。なお、この画像表示システムＤＰ１は、一般的なコンピュータシステムに備える外部記憶装置やインタフェース等の種々の周辺装置を備えているが、ここでは図示を省略している。
【００４９】
また、画像表示システムＤＰ１はプロジェクタであり、光源ユニット１１０から射出された照明光を、液晶パネル１００によって画像を表す光（画像光）に変換し、この画像光を投写光学系１２０を用いて投写スクリーンＳＣ上で結像させることにより、投写スクリーンＳＣ上に画像を投写する。なお、液晶パネル駆動部７０は、画像データ処理装置ではなく、液晶パネル１００とともに蓄積型表示装置に含まれるブロックとみることもできる。
【００５０】
ＣＰＵ８０は、メモリ９０に記憶されている制御プログラムや処理の条件を読み込んで実行することにより、各ブロックの動作を制御する。
【００５１】
信号変換部１０は、外部から入力される映像信号を、メモリ書込制御部３０で処理可能な信号に変換するための処理回路である。例えば、アナログの映像信号の場合には、映像信号に含まれている同期信号に同期して、ディジタルの映像信号に変換する。
【００５２】
メモリ書込制御部３０は、信号変換部１０から出力されたディジタルの映像信号に含まれている各フレームの画像データを、その映像信号に対応する書き込み用の同期信号ＷＳＮＫに同期して、順にフレームメモリ２０に書き込む。なお、書込用同期信号ＷＳＮＫには、書込垂直同期信号や書込水平同期信号、書込クロック信号が含まれている。
【００５３】
メモリ読出制御部４０は、ＣＰＵ８０を介してメモリ９０から与えられる読出制御条件に基づいて読み出し用の同期信号ＲＳＮＫを生成するとともに、この読出同期信号ＲＳＮＫに同期して、フレームメモリ２０に記憶された画像データを読み出す。そして、メモリ読出制御部４０は、読出画像データ信号ＲＶＤＳおよび読出同期信号ＲＳＮＫを駆動画像データ生成部５０に向けて出力する。なお、読出同期信号ＲＳＮＫには、読出垂直同期信号や読出水平同期信号、読出クロック信号が含まれている。また、読出垂直同期信号の周期は、フレームメモリ２０に書き込まれる映像信号の書込垂直同期信号の周期（フレーム周期）の２倍速に設定されており、メモリ読出制御部４０は、フレームメモリ２０に記憶された画像データを、１フレーム周期の間に２回読み出して、駆動画像データ生成部５０に向けて出力する。
【００５４】
駆動画像データ生成部５０は、メモリ読出制御部４０から供給される読出画像データ信号ＲＶＤＳおよび読出同期信号ＲＳＮＫと、動き量検出部６０から供給される動き量データ信号ＱＭＤＳとに基づいて、液晶パネル駆動部７０を介して液晶パネル１００を駆動するための駆動画像データ信号ＤＶＤＳを生成し、生成した駆動画像データ信号ＤＶＤＳを液晶パネル駆動部７０に向けて出力する。
【００５５】
動き量検出部６０は、フレームメモリ２０に順次書き込まれる各フレームの画像データ（以下、「フレーム画像データ」とも呼ぶ）と、フレームメモリ２０から読み出される各フレームの読出画像データ（後述する第１フィールドと第２フィールドに相当するフレームの読出画像データ）と、を比較することにより画像の動き量を検出し、検出した動き量を表す動き量データ信号ＱＭＤＳを駆動画像データ生成部５０に向けて出力する。なお、動き量の検出については後述する。
【００５６】
液晶パネル駆動部７０は、駆動画像データ生成部５０から供給された駆動画像データ信号ＤＶＤＳを液晶パネル１００に供給可能な信号に変換して液晶パネル１００に供給する。
【００５７】
液晶パネル１００は、供給された駆動画像データ信号に対応する画像を表す画像光を射出する。これにより、上記したように、液晶パネル１００から射出された画像光の表す画像が投写スクリーンＳＣ上に投写表示される。
【００５８】
Ａ２．駆動画像データ生成部の構成および動作：
図２は、駆動画像データ生成部５０の構成の一例を示す概略ブロック図である。駆動画像データ生成部５０は、マスク制御部５１０と、第１のラッチ部５２０と、マスクデータ生成部５３０と、第２のラッチ部５４０と、マルチプレクサ（ＭＰＸ）５５０と、を備えている。
【００５９】
マスク制御部５１０は、メモリ読出制御部４０から供給された読出同期信号ＲＳＮＫに含まれている読出垂直同期信号ＶＳ、読出水平同期信号ＨＳ、読出クロックＤＣＫ、および、フィールド選択信号ＦＩＥＬＤに基づいて、第１のラッチ部５２０および第２のラッチ部５４０の動作を制御するラッチ信号ＬＴＳと、マルチプレクサ５５０の動作を制御する選択制御信号ＭＸＳを出力し、駆動画像データ信号ＤＶＤＳの生成を制御する。なお、フィールド選択信号ＦＩＥＬＤは、フレームメモリ２０から２倍速で読出された読出画像データ信号ＲＶＤＳが、第１フィールドの読出画像データ信号であるか第２フィールドの読出画像データ信号であるか区別するための信号である。
【００６０】
第１のラッチ部５２０は、メモリ読出制御部４０から供給された読出画像データ信号ＲＶＤＳを、マスク制御部５１０から供給されたラッチ信号ＬＴＳに従って順次ラッチし、ラッチ後の読出画像データを読出画像データ信号ＲＶＤＳ１としてマスクデータ生成部５３０および第２のラッチ部５４０に出力する。
【００６１】
マスクデータ生成部５３０は、動き量検出部６０から供給された動き量データ信号ＱＭＤＳと、第１のラッチ部５２０から供給された読出画像データ信号ＲＶＤＳ１とに基づいて、各画素の読出画像データの表す画素値に応じた画素値を表すマスクデータを生成し、生成したマスクデータをマスクデータ信号ＭＤＳ１として第２のラッチ部５４０に出力する。
【００６２】
図３は、マスクデータ生成部５３０の構成を示す概略ブロック図である。マスクデータ生成部５３０は、演算部５３２と、演算選択部５３４と、マスクパラメータ参照テーブル５３６と、を備えている。
【００６３】
演算選択部５３４は、あらかじめ設定されてメモリ９０に格納されているマスクデータ生成条件をＣＰＵ８０からの指示により受け取って、受け取ったマスクデータ生成条件に対応する演算を演算部５３２に選択設定する。演算部５３２で実行される演算としては、例えば乗算、ビットシフト演算等の種々の演算が利用可能であり、本実施例では、演算部５３２で実行される演算として乗算（Ｃ＝Ａ＊Ｂ）が選択設定されていることとする。
【００６４】
マスクパラメータ参照テーブル５３６には、あらかじめ、画像の動き量を正規化したものとこれに対応するマスクパラメータの値との関係を示すテーブルデータが、ＣＰＵ８０によってメモリ９０から読み出されて供給されることにより格納されている。これにより、マスクパラメータ参照テーブル５３６は、このテーブルデータを参照して、動き量検出部６０から供給された動き量データ信号ＱＭＤＳの示す動き量に応じたマスクパラメータＭＰの値を求め、求めたマスクパラメータＭＰの値を示すデータを演算部５３２へ出力する。なお、ここではテーブルデータとして説明したが、近似式とした多項式による関数演算とさせても良い。
【００６５】
図４は、マスクパラメータ参照テーブル５３６に格納されているテーブルデータについて示す説明図である。このテーブルデータは、図４に示すように、動き量Ｖｍに対するマスクパラメータＭＰの値(０〜１)の特性を示すものである。動き量Ｖｍは、フレーム単位で移動する画素数、すなわち、単位を［ｐｉｘｅｌ／ｆｒａｍｅ］とする移動速度で表されている。この動き量Ｖｍが大きいほど、画像の動きが激しくなるため、動画ボケの度合が大きくなると考えられる。そこで、動き量Ｖｍに対するマスクパラメータＭＰの値は、０〜１の範囲で動き量Ｖｍが大きいほど小さく、動き量Ｖｍが小さいほど大きくなるように設定されている。
【００６６】
図３の演算部５３２は、入力される読出画像データ信号ＲＶＤＳ１中の読出画像データを演算パラメータＡとし、マスクパラメータ参照テーブル５３６から供給されるマスクパラメータＭＰを演算パラメータＢとし、演算選択部５３４によって選択された演算（Ａ？Ｂ：？は選択された演算を示す演算子）を実行する。その演算結果Ｃ（＝Ａ？Ｂ）であるマスクデータをマスクデータ信号ＭＤＳ１として出力する。これにより、入力された読出画像データＲＶＤＳ１の表す画像の各画素に対して、その画像の動き量に応じたマスクデータが、各画素の読出画像データに基づいて生成される。
【００６７】
例えば、上記したように、演算部５３２で実行される演算として乗算（Ｃ＝Ａ＊Ｂ）が選択設定されており、マスクパラメータ参照テーブル５３６により、マスクパラメータＭＰの値として「０．３」が演算パラメータＢとして設定されたとする。このとき、演算パラメータＡとして入力される読出画像データ信号ＲＶＤＳ１中の読出画像データの値が「００ｈ」、「３２ｈ」、「ＦＦｈ」であるとすると、演算部５３２は、それぞれ、「００ｈ」、「０Ｆｈ」、「４Ｃｈ」の値を有するマスクデータをマスクデータ信号ＭＤＳ１として出力する。すなわち、マスクパラメータＭＰの値は、読出画像データの画素値に対するマスクデータの比率（減衰比）を示している。
【００６８】
なお、動き量Ｖｍは、動き量検出部６０において、種々の一般的な動きベクトルの算出手法を用いて容易に求めることができる。例えば、以下のようにして求めることができる。すなわち、１フレームの画像を、ｍ画素×ｎ画素（ｍ，ｎは２以上の整数）を１ブロックとする複数のブロック群に分割し、各ブロックについて、それぞれ、２つのフレーム間での動きベクトルを求めることにより、その動き量を求める。そして、求めた各ブロックの動き量の総和を求める。１つのブロックの動きベクトルは、ブロックに含まれる画素データ（輝度データ）の重心座標の移動量を求めることにより容易に求めることができる。以上のようにして求めた各ブロックの動き量の総和が、２つのフレーム間での画像の動き量Ｖｍに相当する。
【００６９】
図２の第２のラッチ部５４０は、第１のラッチ部５２０から出力された読出画像データ信号ＲＶＤＳ１およびマスクデータ生成部５３０から出力されたマスクデータ信号ＭＤＳ１を、ラッチ信号ＬＴＳに従って順次ラッチし、ラッチ後の読出画像データを読出画像データ信号ＲＶＤＳ２として、また、ラッチ後のマスクデータをマスクデータ信号ＭＤＳ２としてマルチプレクサ５５０に出力する。
【００７０】
マルチプレクサ５５０は、読出画像データ信号ＲＶＤＳ２とマスクデータ信号ＭＤＳ２の一方を、マスク制御部５１０から出力される選択制御信号ＭＸＳに従って選択することによって、駆動画像データ信号ＤＶＤＳを生成し、液晶パネル駆動部７０に出力する。
【００７１】
選択制御信号ＭＸＳは、読出画像データに挿入されるマスクデータのパターンが所定のマスクパターンとなるように、フィールド信号ＦＩＥＬＤと、読出垂直同期信号ＶＳと、読出水平同期信号ＨＳと、読出クロックＤＣＫとに基づいて生成される。
【００７２】
図５は、生成される駆動画像データについて示す説明図である。図５（ａ）に示すように、各フレームのフレーム画像データは、一定の周期（フレーム周期）Ｔｆｒの間にメモリ書込制御部３０（図１）によって、フレームメモリ２０に格納される。図５（ａ）は、Ｎフレーム（Ｎは１以上の整数）のフレーム画像データＦＲ（Ｎ）と、（Ｎ＋１）フレームのフレーム画像データＦＲ（Ｎ＋１）が順にフレームメモリ２０に格納される場合を例に示している。
【００７３】
そして、図５（ｂ）に示すように、メモリ読出制御部４０（図１）によって、フレームメモリ２０に格納されているフレーム画像データが、フレーム周期Ｔｆｒの２倍速の周期（フィールド周期）Ｔｆｉで２回読み出されて、第１フィールドに対応する読出画像データＦＩ１および第２フィールドに対応する読出画像データＦＩ２として順に出力される。図５（ｂ）は、Ｎフレームにおける第１フィールドの読出画像データＦＩ１（Ｎ）および第２フィールドの読出画像データＦＩ２（Ｎ）と、（Ｎ＋１）フレームにおける第１フィールドの読出画像データＦＩ１（Ｎ＋１）および第２フィールドの読出画像データＦＩ２（Ｎ＋１）が順に出力される場合を例に示している。
【００７４】
そして、図５（ｃ）に示すように、駆動画像データ生成部５０では、第１フィールドの読出画像データＦＩ１の偶数番目の水平ライン（２，４，６，８，...）をマスクデータ（クロスハッチで示される領域）に置き換えた第１の駆動画像データが生成される。また、第２フィールドの読出画像データＦＩ２の奇数番目の水平ライン（１，３，５，７，...）をマスクデータに置き換えた第２の駆動画像データが生成される。
【００７５】
なお、第１フィールドの読出画像データＦＩ１の奇数番目の水平ラインをマスクデータに置き換え、第２フィールドの読出画像データＦＩ２の偶数番目の水平ラインをマスクデータに置き換えるようにしてもよい。
【００７６】
また、図５に示した駆動画像データの表す画像は、説明を容易にするために１フレームの画像を水平８ラインで垂直１０ラインの画像としているため、離散した画像に見えるが、実際の画像は、数百本以上の水平および垂直ラインを有しているので、人間の視覚の性質上ほとんど目立たない。
【００７７】
図６は、駆動画像データ信号の生成動作について示すタイミングチャートである。フィールド信号ＦＩＥＬＤ（図６（ａ））、読出垂直同期信号ＶＳ（図６（ｂ））、読出水平同期信号ＨＳ（図６（ｃ））、および、読出クロックＤＣＫ（図６（ｄ））に同期して、読出画像データ信号ＲＶＤＳ（図６（ｅ））が駆動画像データ生成部５０に入力される。フィールド信号ＦＩＥＬＤがハイ（以下、「Ｈ」と記す）レベルである期間は、読出画像データ信号ＲＶＤＳに含まれている画像データが第１フィールドの読出画像データＦＩ１とされ、フィールド信号ＦＩＥＬＤがロウ（以下、「Ｌ」と記す）レベルである期間は、第２フィールドの読出画像データＦＩ２とされる。すなわち、各フレームの読出画像データ信号ＲＶＤＳとして、第１フィールドの読出画像データＦＩ１と第２フィールドの読出画像データＦＩ２とが読出垂直同期信号ＶＳに同期して交互に駆動画像データ生成部５０に入力される。図６には、（Ｎ−１）フレーム、Ｎフレーム、および（Ｎ＋１）フレーム（Ｎは２以上の整数）の各フレームにおける第１フィールドおよび第２フィールドの読出画像データＦＩ１（Ｎ−１），ＦＩ２（Ｎ−１）、ＦＩ１（Ｎ），ＦＩ２（Ｎ）、およびＦＩ１（Ｎ＋１），ＦＩ２（Ｎ＋１）が読出画像データ信号ＲＶＤＳとして駆動画像データ生成部５０に入力されている例が示されている。
【００７８】
第１フィールドの読出画像データ信号が入力されている期間（以下、「第１フィールド期間」と呼ぶ）では、選択制御信号ＭＸＳ（図６（ｆ１））は、奇数番目の水平ライン（Ｏｄｄ  Ｈｌｉｎｅ）に対応する水平走査期間（読出水平同期信号ＨＳの奇数番目の周期（図６（ｃ１））においてＨレベルとなり、偶数番目の水平ライン（Ｅｖｅｎ  Ｈｌｉｎｅ）に対応する水平走査期間（読出水平同期信号ＨＳの偶数番目の周期）においてＬレベルとなる。これにより、図２のマルチプレクサ５５０は、駆動画像データ信号ＤＶＤＳ（図６（ｇ１））として、奇数番目の水平ラインに対応する水平走査期間において読出画像データを出力し、偶数番目の水平ラインに対応する水平走査期間においてマスクデータを出力する。
【００７９】
一方、第２フィールドの読出画像データ信号が入力されている期間（以下、「第２フィールド期間」と呼ぶ）では、選択制御信号ＭＸＳ（図６（ｆ２））は、奇数番目の水平ラインに対応する水平走査期間（読出水平同期信号ＨＳの奇数番目の周期（図６（ｃ２））においてＬレベルとなり、偶数番目の水平ラインに対応する水平走査期間（読出水平同期信号ＨＳの偶数番目の周期）においてＨレベルとなる。これにより、図２のマルチプレクサ５５０は、駆動画像データ信号ＤＶＤＳ（図６（ｇ２））として、奇数番目の水平ラインに対応する水平走査期間においてマスクデータを出力し、偶数番目の水平ラインに対応する水平走査期間において読出画像データを出力する。
【００８０】
以上説明したように、本実施例の駆動画像データ生成部５０では、第１フィールド期間では読出画像データ信号の偶数番目の水平ラインに対応する水平走査期間において、読出画像データをマスクデータに置き換えることにより第１の駆動画像データ信号が生成され、第２フィールド期間では奇数番目の水平ラインに対応する水平走査期間において、読出画像データをマスクデータに置き換えることにより第２の駆動画像データ信号が生成される。
【００８１】
Ａ３．実施例の効果：
以上説明したように、上記実施例では、１フレームの画像データを第１フィールドと第２フィールドの画像データとして読み出し、第１フィールドの読出画像データに対しては、偶数番目の水平ラインに対応する読出画像データをマスクデータに置き換えて第１の駆動画像データを生成し、第２フィールドの読出画像データに対しては、奇数番目の水平ラインに対応する読出画像データをマスクデータに置き換えて第２の駆動画像データを生成する。これにより、１つの水平ラインについて着目すると、液晶パネルの各画素に対してマスクデータと画像データとがフィールド周期Ｔｆｉで交互に入力されることになるため、各画素では、読出画像データに対応する画像を表示する前に、一旦マスクデータの表す画像を表示することによって、その前に表示された画像の影響を抑制して、新たな画像データの表す画像を表示する。これにより、従来と同様に動画ボケを改善することができる。
【００８２】
また、従来例の場合、動画ボケを改善するために、第１フィールドの画像データに対しては偶数番目の水平ラインを黒の画像データ（黒画像データ）とし、第２フィールドの画像に対しては奇数番目の水平ラインを黒画像データとしていた。このため、表示される画像の実質的な輝度は、１フレームの画像の理論的な輝度に対して約半分に減衰してしまう。一方、本実施例の場合、第１フィールドの画像の偶数番目の水平ラインは、本来表示されるべき画像データではなく、その画像データの表す画像の動き量（動きの度合）に応じて、所定の演算処理を施すことにより生成されるマスクデータとされる。また、第２フィールドの画像の奇数番目の水平ラインも、同様にして生成されるマスクデータとされる。この第１フィールドの画像データおよび第２フィールドの画像データとして置き換えられるマスクデータは、黒画像データではなく、画像の動き量に応じて、対応する画像データに所定の演算処理を施した画像データであるので、表示される画像の実質的な輝度の減衰を抑制することが可能である。
【００８３】
Ａ４．駆動画像データ生成動作の変形例：
Ａ４．１．変形例１：
図７は、生成される駆動画像データの第１の変形例について示す説明図である。図５に示した第１実施例の場合と同様に、図７（ａ）は、Ｎフレームのフレーム画像データＦＲ（Ｎ）と、（Ｎ＋１）フレームのフレーム画像データＦＲ（Ｎ＋１）が順にフレームメモリ２０に格納される場合を例に示し、図７（ｂ）は、Ｎフレームにおける第１フィールドの読出画像データＦＩ１（Ｎ）および第２フィールドの読出画像データＦＩ２（Ｎ）と、（Ｎ＋１）フレームにおける第１フィールドの読出画像データＦＩ１（Ｎ＋１）および第２フィールドの読出画像データＦＩ２（Ｎ＋１）が、フレームメモリ２０から順に読出されて出力される場合を例に示している。
【００８４】
液晶パネル１００を駆動する場合、液晶の劣化を防止するために、通常、液晶パネルの各画素に与える信号の極性を、垂直同期信号周期（フレーム周期あるいはフィールド周期）で反転する処理が実行される。図５に示す第１実施例の場合には、第１フィールド期間においては、偶数番目の水平ラインに対して読出画像データがマスクデータに置き換えられ、第２フィールド期間においては、奇数番目の水平ラインに対して読出画像データがマスクデータに置き換えられるため、液晶パネルの対応する各画素に与えられるマスクデータ信号の極性は常に同じ極性となり液晶駆動に好ましくない直流駆動となってしまう。
【００８５】
そこで、図７（ｃ）に示すように、Ｎフレームの駆動画像データとして、第１フィールドの読出画像データＦＩ１（Ｎ）に対応する第１の駆動画像データと、第２フィールドの読出画像データＦＩ２（Ｎ）に対応する第２の駆動画像データとを順に生成した後、次の（Ｎ＋１）フレームの駆動画像データとしては、まず、第２フィールドの読出画像データＦＩ２（Ｎ＋１）に対応する第２の駆動画像データを生成し、次に、第１フィールドの読出画像データＦＩ１（Ｎ＋１）に対応する第１の駆動画像データを生成するようにしてもよい。こうすれば、同じ水平ラインの各画素に与えられるマスクデータに対応して、液晶パネルの対応する各画素に与えられる信号の極性を交互に反転させることにより液晶駆動に良い交流駆動が可能となる。
【００８６】
Ａ４．２．変形例２：
図８は、生成される駆動画像データの第２の変形例について示す説明図である。
【００８７】
上記第１実施例では、図５に示すように、フレームメモリ２０から１フレームの画像データをフレーム周期Ｔｆｒの間に２倍速のフィールド周期Ｔｆｉで２回読み出して、２つのフィールド画像データにより１つのフレーム画像データを表す場合を例に説明している。しかしながら、これに限定されるものではなく、図８に示すように、１フレームの画像データをフレーム周期の間で３回以上読み出すようにして、駆動画像データを生成するようにしてもよい。
【００８８】
図８（ｂ）は、フレームメモリ２０に格納されている画像データが、各フレーム周期の間に３倍速のフィールド周期で３回読み出されて順に出力される場合例に示している。また、Ｎフレームのフレーム画像データＦＲ（Ｎ）に対してフレームメモリ２０から読み出された３つのフレーム画像データのうち、１番目および３番目の読出画像データが第１フィールドの読出画像データＦＩ１（Ｎ）とされ、２番目の画像データが第２フィールドの読出画像データＦＩ２（Ｎ）とされる。そして、図８（ｃ）に示すように、第１フィールドの読出画像データＦＩ１（Ｎ）に対しては、偶数番目の水平ラインの読出画像データがマスクデータ（クロスハッチで示される領域）に置き換えられて第１の駆動画像データが生成される。また、第２フィールドの読出画像データＦＩ２（Ｎ）に対しては、奇数番目の水平ラインの読出画像データがマスクデータに置き換えられて第２の駆動画像データが生成される。
【００８９】
また、図８（ｂ）に示すように、（Ｎ＋１）フレームのフレーム画像データＦＲ（Ｎ＋１）に対して読み出された３つの画像データのうち、１番目および３番目の画像データが第２フィールドの読出画像データＦＩ２（Ｎ＋１）とされ、２番目の画像データが第１フィールドの読出画像データＦＩ１（Ｎ＋１）とされる。そして、図８（ｃ）に示すように、第１フィールドの読出画像データＦＩ１（Ｎ＋１）に対しては、偶数番目の水平ラインの読出画像データがマスクデータ（クロスハッチで示される領域）に置き換えられて第１の駆動画像データが生成される。また、第２フィールドの読出画像データＦＩ２（Ｎ＋１）に対しては、奇数番目の水平ラインの読出画像データがマスクデータに置き換えられて第２の駆動画像データが生成される。
【００９０】
ここで、Ｎフレームのフレーム周期における１番目の読出画像データは第１フィールドの読出画像データＦＩ１（Ｎ）であり、２番目の読出画像データは第２フィールドの読出画像データＦＩ２（Ｎ）であるので、これら２つの読出画像データに対応する第１および第２の駆動画像データにより、Ｎフレームのフレーム画像ＦＲ（Ｎ）が表されることになる。
【００９１】
また、（Ｎ＋１）フレームのフレーム周期における２番目の読出画像データは第１フィールドの読出画像データＦＩ１（Ｎ＋１）であり、３番目の読出画像データは第２フィールドの読出画像データＦＩ２（Ｎ）であるので、これら２つの読出画像データに対応する第１および第２の駆動画像データにより、（Ｎ＋１）フレームのフレーム画像ＦＲ（Ｎ＋１）が表されることになる。
【００９２】
そして、Ｎフレームのフレーム周期における３番目の読出画像データは第１フィールドの読出画像データＦＩ１（Ｎ）であり、（Ｎ＋１）フレームのフレーム周期における１番目の読出画像データは第２フィールドの読出画像データＦＩ２（Ｎ＋１）であるので、これら２つの読出画像データに対応する第１および第２の駆動画像データにより、人間の視覚上の性質を利用して、Ｎフレームと（Ｎ＋１）フレームの間を実効的に補間する１つのフレーム画像が表されることになる。この補間フレーム画像により、Ｎフレームから（Ｎ＋１）フレームに画像が急激に変化することによって発生する、画像変化の非連続性によるフリッカ等の種々の画質劣化を抑制することができる。
【００９３】
Ａ４．３．変形例３：
図９は、生成される駆動画像データの第３の変形例について示す説明図である。図５に示した第１実施例の場合と同様に、図９（ａ）は、Ｎフレームのフレーム画像データＦＲ（Ｎ）がフレームメモリに格納される場合を例に示している。
【００９４】
そして、図９（ｂ）に示すように、フレームメモリ２０に格納されている画像データは、各フレーム周期Ｔｆｒの間に２倍速のフィールド周期Ｔｆｉで２回読み出されて、第１フィールドに対応する読出画像データＦＩ１および第２フィールドに対応する読出画像データＦＩ２として順に出力される。
【００９５】
そして、図９（ｃ）に示すように、変形例における駆動画像データ生成部では、第１フィールドの読出画像データＦＩ１の偶数番目の垂直ラインを形成する画素（２，４，６，８，...：Ｅｖｅｎ  Ｐｉｘｅｌ）をマスクデータ（クロスハッチで示される領域）に置き換えた第１の駆動画像データが生成される。また、第２フィールドの読出画像データＦＩ２の奇数番目の垂直ラインを形成する画素（１，３，５，７，...：Ｏｄｄ  Ｐｉｘｅｌ）をマスクデータに置き換えた第２の駆動画像データが生成される。
【００９６】
なお、第１フィールドの読出画像データＦＩ１の奇数番目の垂直ラインをマスクデータに置き換え、第２フィールドの読出画像データＦＩ２の偶数番目の垂直ラインをマスクデータに置き換えるようにしてもよい。
【００９７】
なお、図９に示した画像データの表す画像も、説明を容易にするために１フレームの画像を水平８ラインで垂直１０ラインの画像としているため、離散した画像に見えるが、実際の画像は、数百本以上の水平および垂直ラインを有しているので、人間の視覚の性質上ほとんど目立たない。
【００９８】
図１０は、上記第３の変形例としての駆動画像データ信号の生成動作について示すタイミングチャートである。フィールド信号ＦＩＥＬＤ（図１０（ａ））、読出垂直同期信号ＶＳ（図１０（ｂ））、読出水平同期信号ＨＳ（図１０（ｃ））、および、読出クロックＤＣＫ（図１０（ｄ））に同期して、読出画像データ信号ＲＶＤＳ（図１０（ｅ））が駆動画像データ生成部５０に入力される。フィールド信号ＦＩＥＬＤがＨレベルである期間は、読出画像データ信号ＲＶＤＳに含まれている画像データが第１フィールドの読出画像データＦＩ１とされ、フィールド信号ＦＩＥＬＤがＬレベルである期間は、第２フィールドの読出画像データＦＩ２とされる。すなわち、各フレームの読出画像データ信号ＲＶＤＳとして、第１フィールドの読出画像データＦＩ１と第２フィールドの読出画像データＦＩ２とが読出垂直同期信号ＶＳに同期して交互に変形例の駆動画像データ生成部に入力される。図１０には、（Ｎ−１）フレーム、Ｎフレーム、および（Ｎ＋１）フレーム（Ｎは２以上の整数）の各フレームにおける第１フィールドおよび第２フィールドの読出画像データＦＩ１（Ｎ−１），ＦＩ２（Ｎ−１）、ＦＩ１（Ｎ），ＦＩ２（Ｎ）、およびＦＩ１（Ｎ＋１），ＦＩ２（Ｎ＋１）が読出画像データ信号ＲＶＤＳとして、変形例における駆動画像データ生成部に入力されている例が示されている。
【００９９】
第１フィールド期間では、読出水平同期信号ＨＳ（図１０（ｃ１）の各周期において、読出水平同期信号ＨＳがＨレベルに変化する水平走査期間の先頭から、読出クロックＤＣＫ（図１０（ｄ１））の周期ごとに、選択制御信号ＭＸＳ（図１０（ｆ１））は、ＨレベルとＬレベルとに交互に変化する。具体的には、奇数番目の画素（Ｏｄｄ Ｐｉｘｅｌ）に対応するクロック周期ではＨレベルとなり、偶数番目の画素（Ｅｖｅｎ  Ｐｉｘｅｌ）に対応するクロック周期ではＬレベルとなる。これにより、図２のマルチプレクサ５５０は、駆動画像データ信号ＤＶＤＳ（図１０（ｇ１））として、奇数番目の画素のクロック周期において読出画像データを出力し、偶数番目の画素のクロック周期においてマスクデータを出力することができる。
【０１００】
一方、第２フィールド期間では、読出水平同期信号ＨＳ（図１０（ｃ２）の各周期において、読出水平同期信号ＨＳがＨレベルに変化する水平走査期間の先頭から、読出クロックＤＣＫ（図１０（ｄ２））の周期ごとに、選択制御信号ＭＸＳ（図１０（ｆ２））は、ＬレベルとＨレベルとに交互に変化する。具体的には、奇数番目の画素（Ｏｄｄ Ｐｉｘｅｌ）に対応するクロック周期ではＬレベルとなり、偶数番目の画素（Ｅｖｅｎ  Ｐｉｘｅｌ）に対応するクロック周期ではＨレベルとなる。これにより、図２のマルチプレクサ５５０は、駆動画像データ信号ＤＶＤＳ（図１０（ｇ２））として、奇数番目の画素のクロック周期においてマスクデータを出力し、偶数番目の画素のクロック周期において読出画像データを出力することができる。
【０１０１】
以上説明したように、本変形例の場合、駆動画像データ生成部では、第１フィールドの各水平ラインの画像データのうち偶数番目の画素に対応する読出画像データがマスクデータに置き換えられ、第２フィールドの各水平ラインの画像データのうち奇数番目の画素に対応する読出画像データがマスクデータに置き換えられる。この結果、第１フィールドの読出画像データに対しては、奇数番目の垂直ラインに対応する読出画像データがマスクデータに置き換えられて第１の駆動画像データが生成され、第２フィールドの読出画像データに対しては、偶数番目の垂直ラインに対応する読出画像データがマスクデータに置き換えられて第２の駆動画像データが生成される。これにより、１つの垂直ラインについて着目すると、液晶パネルに対してマスクデータと画像データとがフィールド周期で交互に入力されることになるため、各画素では、読出画像データに対応する画像を表示する前に、一旦マスクデータの表す画像を表示することによって、その前に表示された画像の影響を抑制して、新たな画像データの表す画像を表示することが可能となり、従来と同様に動画ボケを改善することができる。
【０１０２】
特に、本変形例のように垂直ラインを形成する画素に対する読出が画像データがマスクデータに置き換えられる場合には、第１実施例のように水平ラインに対する読出画像データがマスクデータに置き換えられる場合に比べて、水平方向の移動を含む動画像に対する動画ボケの改善をより効果的に実施することができる。ただし、垂直方向の移動を含む動画像に対する動画ボケの改善は第１実施例の方が本実施例よりも効果的である。
【０１０３】
また、第１実施例でも説明したように、本変形例においても、黒画像データではなく、画像の動き量に応じて、対応する画像データに所定の演算処理を施した画像データをマスクデータとして用いているので、表示される画像の実質的な輝度の減衰を抑制することが可能である。
【０１０４】
なお、本変形例においては、上記第１の変形例や第２の変形例を組み合わせて適用することも可能である。
【０１０５】
Ａ４．４．変形例４：
図１１は、生成される駆動画像データの第４の変形例について示す説明図である。図６に示した第１実施例の場合と同様に、各フレーム画像データは、フレーム周期でフレームメモリ２０に格納される。図１１（ａ）は、Ｎフレームのフレーム画像データＦＲ（Ｎ）がフレームメモリに格納される場合を例に示している。
【０１０６】
そして、図１１（ｂ）に示すように、フレームメモリ２０に格納されている画像データが、各フレーム周期Ｔｆｒの間に２倍速のフィールド周期Ｔｆｉで２回読み出されて、第１フィールドに対応する読出画像データＦＩ１および第２フィールドに対応する読出画像データＦＩ２として順に出力される。
【０１０７】
そして、図１１（ｃ）に示すように、変形例における駆動画像データ生成部では、第１フィールドの読出画像データＦＩ１の奇数番目の水平ライン（１，３，５，７，...）における偶数番目の垂直ラインを形成する画素（２，４，６，８，...）をマスクデータ（クロスハッチで示される領域）に置き換えるとともに、偶数番目の水平ライン（２，４，６，８，...）における奇数番目の垂直ラインを形成する画素（１，３，５，７，...）をマスクデータに置き換えた第１の駆動画像データが生成される。すなわち、チェッカフラグ状にマスクデータを有する駆動画像データが生成される。また、第２フィールドの読出画像データＦＩ２の奇数番目の水平ライン（１，３，５，７，...）における奇数番目の垂直ラインを形成する画素（１，３，５，７，...）をマスクデータに置き換えるとともに、偶数番目の水平ライン（２，４，６，８，...）における偶数番目の垂直ラインを形成する画素（２，４，６，８，...）をマスクデータに置き換えた第２の駆動画像データが生成される。すなわち、第１フィールドにおけるマスクデータの位置とは異なった画素で、チェッカフラグ状にマスクデータを有する駆動画像データが生成される。また、図１１（ｂ）のＦＩ１（Ｎ）とＦＩ２（Ｎ）には、（＋）極性を印加し、次のＦＩ１（Ｎ＋１）とＦＩ２（Ｎ＋１）に極性反転した（−）極性を印加することで交流駆動を実現することもできる。
【０１０８】
なお、第１フィールドの読出画像データＦＩ１の奇数番目の水平ラインの奇数番目の画素および偶数番目の水平ラインの偶数番目の画素をマスクデータに置き換え、第２フィールドの読出画像データＦＩ２の奇数番目の水平ラインの偶数番目の画素および偶数番目の水平ラインの奇数番目の水平ラインをマスクデータに置き換えるようにしてもよい。
【０１０９】
また、図１１に示した画像データの表す画像も、説明を容易にするために１フレームの画像を水平８ラインで垂直１０ラインの画像としているため、離散した画像に見えるが、実際の画像は、数百本以上の水平および垂直ラインを有しているので、人間の視覚の性質上ほとんど目立たない。
【０１１０】
以上説明したように、本変形例の場合、第１フィールドの画像データに対しては奇数番目の水平ラインにおける偶数番目の垂直ラインを形成する画素および偶数番目の水平ラインにおける奇数番目の垂直ラインを形成する画素に対応する読出画像データがマスクデータに置き換えられ、第２フィールドの画像データに対しては奇数番目の水平ラインにおける奇数番目の垂直ラインを形成する画素および偶数番目の水平ラインにおける偶数番目の垂直ラインを形成する画素に対応する読出画像データがマスクデータに置き換えられる。これにより、ある画素について着目すると、液晶パネルに対してマスクデータと画像データとがフィールド周期で交互に入力されることになるため、各画素では、新たな画像データに対応する画像を表示する前に、一旦マスクデータの表す画像を表示することによって、その前に表示された画像の影響を抑制して、新たな画像データの表す画像を表示することが可能となり、従来と同様に動画ボケを改善することができる。
【０１１１】
特に、本変形例のように、チェッカフラグ状にマスクデータを有する場合には、第１実施例のように垂直方向の移動を含む動画像に対する動画ボケの改善効果と、第３の変形例のように水平方向の移動を含む動画像に対する動画ボケの改善効果の両方を得ることが可能である。また、本変形例のようにチェッカフラグ状にマスクデータを有する場合には、第１実施例の水平ラインや第３の変形例の垂直ラインと比較して、マスクデータが表示されるパターンが細かくなるため、網膜上に起こる残像現象を低減させることができ、動画ボケをより改善することができる。
【０１１２】
また、第１実施例でも説明したように、本変形例においても、黒画像データではなく、画像の動き量に応じて、対応する画像データに所定の演算処理を施した画像データをマスクデータとして用いているので、表示される画像の実質的な輝度の減衰を抑制することが可能である。
【０１１３】
なお、本変形例においても、上記第１の変形例や第２の変形例を組み合わせて適用することが可能である。
【０１１４】
Ａ４．５．変形例５：
図１２は、生成される駆動画像データの第５の変形例について示す説明図である。図６に示した第１実施例の場合と同様に、各フレーム画像データは、フレーム周期でフレームメモリ２０に格納される。図１２（ａ）は、Ｎフレームのフレーム画像データＦＲ（Ｎ）がフレームメモリに格納される場合を例に示している。
【０１１５】
そして、図１２（ｂ）に示すように、フレームメモリ２０に格納されている画像データが、各フレーム周期Ｔｆｒの間に２倍速のフィールド周期Ｔｆｉで２回読み出されて、第１フィールドに対応する読出画像データＦＩ１および第２フィールドに対応する読出画像データＦＩ２として順に出力される。
【０１１６】
そして、図１２（ｃ）に示すように、変形例における駆動画像データ生成部では、Ｎフレームにおける第１フィールドの読出画像データＦＩ１（Ｎ）の奇数番目の水平ライン（１，３，５，７，...）における（３ｌ＋１）番目（ｌは０以上の整数）の垂直ラインを形成する画素（１，４，７，１０，...）をマスクデータ（クロスハッチで示される領域）に置き換えるとともに、偶数番目の水平ライン（２，４，６，８，...）における（３ｌ＋２）番目の垂直ラインを形成する画素（２，５，８，１１，...）をマスクデータに置き換えた第１の駆動画像データが生成される。
【０１１７】
また、第２フィールドの読出画像データＦＩ２（Ｎ）の奇数番目の水平ライン（１，３，５，７，...）における（３ｌ＋２）番目の垂直ラインを形成する画素（２，５，８，１１，...）をマスクデータに置き換えるとともに、偶数番目の水平ライン（２，４，６，８，...）における（３ｌ）番目の垂直ラインを形成する画素（３，６，９，１２，...）をマスクデータに置き換えた第２の駆動画像データが生成される。
【０１１８】
さらに、（Ｎ＋１）フレームの第１フィールドの読出画像データＦＩ１（Ｎ＋１）の奇数番目の水平ライン（１，３，５，７，...）における（３ｌ）番目の垂直ラインを形成する画素（３，６，９，１２，...）をマスクデータに置き換えるとともに、偶数番目の水平ライン（２，４，６，８，...）の（３ｌ＋１）番目の垂直ラインを形成する画素（１，４，７，１０，...）をマスクデータに置き換えた第３の駆動画像データが生成される。
【０１１９】
そして、（Ｎ＋１）フレームの第２フィールドの読出画像データＦＩ２（Ｎ＋１）に対しては、再び、奇数番目の水平ライン（１，３，５，７，...）における（３ｌ＋１）番目の垂直ラインを形成する画素（１，４，７，１０，...）をマスクデータに置き換えるとともに、偶数番目の水平ライン（２，４，６，８，...）における（３ｌ＋２）番目の垂直ラインを形成する画素（２，５，８，１１，...）をマスクデータに置き換えた第１の駆動画像データが生成される。
【０１２０】
なお、第１ないし第３の駆動画像データの生成の順番は一例であって、特に限定されるものではなく、第１、第３、第２や、第２、第１、第３等の種々の順番で生成されるようにしてもよい。
【０１２１】
また、図１２に示した画像データの表す画像も、説明を容易にするために１フレームの画像を水平８ラインで垂直１０ラインの画像としているため、離散した画像に見えるが、実際の画像は、数百本以上の水平および垂直ラインを有しているので、人間の視覚の性質上ほとんど目立たない。
【０１２２】
以上説明したように、本変形例の場合、各画素について着目すると、３フィールドに１フィールドの割合で、マスクデータが入力されることになる。これにより、マスクデータが入力された後の読出画像データの表す画像に対して、その前に表示されていた画像の影響を抑制することができるので、動画ボケを改善することができる。
【０１２３】
特に、本変形例の場合、第４の変形例のようなチェッカフラグ状にマスクデータを有する場合に比べると動画ボケ改善の効果は減少するものの、第１実施例のように垂直方向の移動を含む動画像に対する動画ボケの改善効果と、第３の変形例のように水平方向の移動を含む動画像に対する動画ボケの改善効果の両方を得ることが可能である。
【０１２４】
また、第１実施例でも説明したように、本変形例においても、黒画像データではなく、画像の動き量に応じて、対応する画像データに所定の演算処理を施した画像データをマスクデータとして用いているので、表示される画像の実質的な輝度の減衰を抑制することが可能である。特に、本変形例では、３画素に１画素の割合で読出画像データがマスクデータとされるため、第１実施例および第１ないし第４の変形例に比べて、表示される画像の実質的な輝度の減衰を抑制する効果が高い。
【０１２５】
Ａ４．６．変形例６：
図１３は、生成される駆動画像データの第６の変形例について示す説明図である。図６に示した第１実施例の場合と同様に、各フレーム画像データは、フレーム周期でフレームメモリ２０に格納される。図１３（ａ）は、Ｎフレームのフレーム画像データＦＲ（Ｎ）がフレームメモリに格納される場合を例に示している。
【０１２６】
そして、図示は省略されているが、フレームメモリ２０に格納されている画像データが、各フレーム周期の間に２倍速のフィールド周期で２回読み出されて、第１フィールドに対応する読出画像データＦＩ１および第２フィールドに対応する読出画像データＦＩ２として順に出力される。
【０１２７】
そして、図１３（ｂ）に示すように、変形例における駆動画像データ生成部では、第１フィールドの読出画像データＦＩ１に対しては、マスクデータの置き換えは行われず、第２フィールドの読出画像データＦＩ２の全画素に対してマスクデータの置き換えが行われる。
【０１２８】
以上説明したように、本変形例の場合、第１フィールドの画像データに対してはマスクデータの置き換えは行われず、第２フィールドの画像データの全画素に対して読出画像データのマスクデータへの置き換えが行われる。そして、各画素について着目すると、液晶パネルに対してマスクデータと画像データとがフィールド周期で交互に入力されることになるため、各画素では、新たな画像データに対応する画像を表示する前に、一旦マスクデータの表す画像を表示することによって、その前に表示された画像の影響を抑制して、新たな画像データの表す画像を表示することが可能となり、従来と同様に動画ボケを改善することができる。
【０１２９】
また、第１実施例でも説明したように、本変形例においても、黒画像データではなく、画像の動き量に応じて、対応する画像データに所定の演算処理を施した画像データをマスクデータとして用いているので、表示される画像の実質的な輝度の減衰を抑制することが可能である。
【０１３０】
なお、本変形例においても、上記第１の変形例や第２の変形例を組み合わせて適用することが可能である。
【０１３１】
Ａ４．７．変形例７：
上記実施例の駆動画像データでは、１本の水平ライごとに読出画像データとマスクデータとが交互に配置される場合を例に示しているが、ｍ本（ｍは１以上の整数）の水平ラインごとに、読出画像データとマスクデータとが交互に配置されるようにしてもよい。
【０１３２】
また、変形例３の駆動画像データでは、１本の垂直ラインごとに読出画像データとマスクデータとが交互に配置される場合を例に示しているが、ｎ本（ｎは１以上の整数）の垂直ラインごとに、読出画像データとマスクデータとが交互に配置されるようにしてもよい。
【０１３３】
さらに、また、変形例４の駆動画像データでは、１画素ごとに、水平方向および垂直方向に読出画像データとマスクデータとが交互に配置される場合を例に示しているが、水平方向にｐ画素（ｐは１以上の整数）で垂直方向にｑ画素（ｑは１以上の整数）のブロック単位で、水平方向および垂直方向に読出画像データとマスクデータとが交互に配置されるようにしてもよい。
【０１３４】
また、変形例５の駆動画像データでは、水平ラインに並ぶ３個の画素につき１個の画素にマスクデータが配置されるとともに、１本の水平ラインごとに、マスクデータと読出画像データとが交互に配置される場合を例に示しているが、各水平ラインに並ぶｒ個（ｒは３以上の整数）の画素につき連続するｓ個（ｓはｒの約数）の画素に前記マスクデータが配置されるとともに、前記ｒ個の画素に対する前記ｓ個の画素の位置はｔ本（ｔは１以上の整数）の前記水平ラインごとに交互にずれた位置とされるようにしてもよい。
【０１３５】
Ｂ．第２実施例：
図１４は、第２実施例としての画像データ処理装置を適用した画像表示システムの構成を示すブロック図である。この画像表示システムＤＰ２は、第１実施例の画像表示システムＤＰ１（図１）の光源ユニット１１０に換えて調光光源ユニット１１０Ｆを備え、さらに、駆動画像データ生成部５０に換えて、調光光源ユニット１１０Ｆの動作を制御するための調光データを出力可能な駆動画像データ生成部５０Ｆを備えている点を除いて、第１実施例の画像表示システムＤＰ１と同じである。そこで、以下では、この相違点についてのみ説明を加えることとする。
【０１３６】
図１５は、駆動画像データ生成部５０Ｆの構成を示す概略ブロック図である。この駆動画像データ生成部５０Ｆは、第１実施例の駆動画像データ生成部５０のマスクデータ生成部５３０（図２）が、調光光源ユニット１１０Ｆの動作を制御する調光データＱＬＤＳを出力することが可能なマスクデータ生成部５３０Ｆに置き換えられている点を除いて同じである。
【０１３７】
図１６は、マスクデータ生成部５３０Ｆの構成を示す概略ブロック図である。このマスクデータ生成部５３０Ｆの構成は、調光パラメータ参照テーブル５３８を備えている点を除いて、第１実施例のマスクデータ生成部５３０（図３）と同じである。
【０１３８】
調光パラメータ参照テーブル５３８には、画像の動き量とこれに対応する調光パラメータの値との関係を示すテーブルデータが、ＣＰＵ８０によってあらかじめメモリ９０から読み出されて供給されることにより格納されている。これにより、調光パラメータ参照テーブル５３８は、マスクパラメータ参照テーブル５３６と同様に、このテーブルデータを参照して、動き量検出部６０から供給された動き量データ信号ＱＭＤＳの示す動き量に応じた調光パラメータＫＬの値を求めて、調光データ信号ＱＬＤＳとして調光光源ユニット１１０Ｆへ出力する。
【０１３９】
図１７は、調光パラメータ参照テーブル５３８に格納されているテーブルデータについて示す説明図である。図１７（Ａ）は、マスクパラメータ参照テーブル５３６に格納されているテーブルデータの特性、すなわち、動き量Ｖｍに対するマスクパラメータＭＰの値(０〜１)の特性を示すものである。また、図１７（Ｂ）は、調光パラメータ参照テーブル５３８に格納されているテーブルデータの特性、すなわち、マスクパラメータ参照テーブル５３６のテーブルデータと同じ、動き量Ｖｍに対する調光パラメータＫＬの値（１〜０）の特性を示している。動き量Ｖｍが大きいほど、画像の動きが激しくなって、動画ボケの度合が大きくなると考えられる。このため、マスクパラメータ参照テーブル５３６のテーブルデータは、図１７（Ａ）に示すように、マスクパラメータＭＰの値は、０〜１の範囲で動き量Ｖｍが大きいほど小さくなり、動き量Ｖｍが小さいほど大きくなるように設定されている。従って、動き量Ｖｍが大きいほど、マスクパラメータＭＰの値が小さくなって、生成されるマスクデータの値が小さくなり、表示される画像の輝度が理論的な輝度に対して減衰することになる。これに対して、図１７（Ｂ）に示すように、調光パラメータ参照テーブル５３８のテーブルデータの特性は、調光パラメータＫＬの値が、マスクパラメータＭＰとは逆に、１〜０の範囲で動き量Ｖｍが大きいほど大きくなり、動き量Ｖｍが小さいほど小さくなるように設定されている。そして、調光光源ユニット１１０では、調光データＱＬＤＳとして供給された調光パラメータＫＬに従って、光源ユニットの輝度ＥＬを下式に従って決定する。
【０１４０】
ＥＬ＝ＥＡ＋ＥＢ×ＫＬ  ...（１）
ＥＬｍａｘ＝ＥＡ＋ＥＢ  ...（２）
ここで、ＥＬｍａｘはこの調光光源ユニット１１０Ｆで出力可能な最大輝度を示し、ＥＡは最大輝度ＥＬｍａｘのうち調光パラメータＫＬの値に係わらず出力される固定成分としての基準輝度成分を示し、ＥＢは調光パラメータＫＬの値に応じて調整される調整成分としての調光輝度成分を示している。
【０１４１】
上記構成によれば、動きがない場合における光源ユニットの輝度ＥＬは基準輝度ＥＡであるのに対して、動きがある場合における光源ユニットの輝度ＥＬは動き量に応じて大きくなる調光パラメータＫＬに応じて（ＥＢ×ＫＬ）分だけ高くすることができる。これにより、上記した動き量に応じて発生する画像の輝度成分の減衰を補償することが可能である。
【０１４２】
なお、調光光源ユニット１１０Ｆの構成は、１つの光源ランプの出力可能な輝度のうち、一部を調光パラメータＫＬの値に拘わらず出力される固定成分としての基準輝度成分ＥＡとし、残りの輝度成分ＥＢを調整輝度成分として利用する場合を例に説明しているが、これに限定されるものではない。例えば、固定成分としての基準輝度成分ＥＡを出力する主光源と、調光輝度成分ＥＢを出力する補助光源とを備える構成とし、調光パラメータＫＬの値に応じて補助光源の輝度を調整するようにしてもよい。
【０１４３】
なお、本実施例において、駆動画像データ生成部５０Ｆで生成される駆動画像データについて特に説明を省略したが、第１実施例および第１実施例の変形例で説明したいずれの駆動画像データとすることも可能である。
【０１４４】
Ｃ．第３実施例：
図１８は、第３実施例としての画像データ処理装置を適用した画像表示システムの構成を示すブロック図である。この画像表示システムＤＰ３は、第１実施例の画像表示システムＤＰ１（図１）の動き量検出部６０を省略し、これに応じて、駆動画像データ生成部５０を駆動画像データ生成部５０Ｇに置き換えた点を除いて、第１実施例の画像表示システムＤＰ１と同じである。そこで、以下では、この相違点についてのみ説明を加えることとする。
【０１４５】
図１９は、駆動画像データ生成部５０Ｇの構成を示す概略ブロック図である。この駆動画像データ生成部５０Ｇは、第１実施例の駆動画像データ生成部５０（図２）のマスクデータ生成部５３０を、動き量データ信号ＱＭＤＳが入力されないマスクデータ生成部５３０Ｇに置き換えられている点を除いて同じである。
【０１４６】
図２０は、マスクデータ生成部５３０Ｇの構成を示す概略ブロック図である。このマスクデータ生成部５３０Ｇの構成は、第１実施例のマスクデータ生成部５３０（図３）におけるマスクパラメータ参照テーブル５３６に代えてマスクパラメータ記憶部５３６Ｇを備えている点を除いて、第１実施例のマスクデータ生成部５３０と同じである。
【０１４７】
第１実施例のマスクデータ生成部５３０のマスクパラメータ参照テーブル５３６にはＣＰＵ８０によりテーブルデータが設定されており、マスクパラメータ参照テーブル５３６では、このテーブルデータを参照してマスクパラメータＭＰの値が求められるのに対して、マスクデータ生成部５３０Ｇのマスクパラメータ記憶部５３６ＧにはＣＰＵ８０からマスクパラメータＭＰの値が直接設定される。例えば、メモリ９０には、画像の動き量ＶｍとマスクパラメータＭＰとの関係を示したテーブルデータが格納されており、ユーザが所望する動き量を指定すると、ＣＰＵ８０によってこのテーブルデータが参照されて、対応するマスクパラメータＭＰの値が求められ、求められたマスクパラメータＭＰの値がマスクパラメータ記憶部５３６Ｇに設定される。
【０１４８】
なお、画像の動き量の指定は、例えば、動き優先モードとした動き量（大），（中），（小）のように、ユーザが所望の動き量を指定することができればどのような方法であっても構わない。このとき、テーブルデータにはこれらの動き量に対応するマスクパラメータＭＰの値が関係付けられているようにすればよい。
【０１４９】
本実施例においても、第１実施例の場合と同様に、動画ボケを改善することができる。また、表示される画像の実質的な輝度の減衰を抑制することが可能である。
【０１５０】
なお、本実施例において、駆動画像データ生成部５０Ｇで生成される駆動画像データについて特に説明を省略したが、第１実施例で説明したいずれの駆動画像データとすることも可能である。また、第２実施例で説明したように調光光源ユニットを備えて、動き量に応じて調光光源ユニットによる輝度の調整を行うようにすることも可能である。
【０１５１】
Ｄ．変形例：
なお、この発明は上記の実施例や実施形態に限られるものではなく、その要旨を逸脱しない範囲において種々の態様において実施することが可能である。
【０１５２】
Ｄ１．変形例１：
図２１は、テーブルデータの表す動き量Ｖｍに対するマスクパラメータＭＰの特性の変形例について示す説明図である。
【０１５３】
上記実施例では、図４に示したように、テーブルデータは、動き量Ｖｍに対するマスクパラメータＭＰの値が、０〜１の範囲で、動き量Ｖｍが小さいほど大きく、動き量Ｖｍが大きいほど小さくなり、動き量Ｖｍが所定量以下となった場合には１、動き量Ｖｍが所定量以上となった場合には０となるように設定されている。
【０１５４】
ここで、画像の観視者が動画像を知覚するための眼球の追従運動は視角速度（単位は、［ｄｅｇｒｅｅ／ｓｅｃｏｎｄ］）で定義される。そして、眼球の短時間での追従の最高速度（限界視角速度）θｍａｘは３０［ｄｅｇｒｅｅ／ｓｅｃｏｎｄ］であると言われており、この限界視角速度以上では動画像を認識することは困難と考えられる。
【０１５５】
そこで、図２１に示すように、動き量Ｖｍがこの限界視角速度に相当する量Ｖｍｍａｘ以上となった場合には、動画像ではなく映像シーンが変化したものとして静止画像と同様に扱うこととし、マスクパラメータＭＰを１とするようにしてもよい。
【０１５６】
なお、限界視角速度θｍａｘを動き量Ｖｍｍａｘ［ｐｉｘｅｌ／ｆｒａｍｅ］に換算すると、下式で表される。
ｆｖ・Ｖｍｍａｘ・（Ｗ／Ｘｎ）＝２・３Ｈ・ｔａｎ（θｍａｘ／２）
Ｖｍｍａｘ＝２・（１／ｆｖ）・（３Ｈ／Ｗ）・Ｘｎ・ｔａｎ（θｍａｘ／２）  ...（１）
ｆｖはフレーム周波数、Ｈは表示画像の縦方向の長さ、Ｗは表示画像の横方向の長さ、Ｘｎは横方向の解像度を示している。また、３Ｈは社団法人映像情報メディア学会による「ＨＤＴＶ標準観視条件」で定められている観視距離を示している。
【０１５７】
Ｄ２．変形例２：
上記第１実施例や第１の変形例ないし第５の変形例では、フレームメモリに順次書き込まれるフレーム画像データを２倍速以上の速度で読み出して、各フレーム画像データを複数フィールドの読出画像データに変換する場合を例に説明しているが、フレームメモリに順次書き込まれるフレーム画像データを等倍速で読み出して、順次読み出される読出画像データの奇数番目のフレーム画像データを、第１実施例や第１の変形例ないし第５の変形例における第１フィールドの読出画像データとし、偶数番目のフレーム画像データを第１実施例や第１の変形例ないし第５の変形例における第２フィールドの読出画像データとして、それぞれ対応するマスクデータを挿入することにより駆動画像データ信号を生成するようにしてもよい。
【０１５８】
Ｄ３．変形例３：
また、上記実施例では、液晶パネルを適用したプロジェクタを例に説明しているが、プロジェクタではなく直視型の表示装置にも適用可能である。また、液晶パネルの他にＰＤＰ（Plasma Display Panel）やＥＬＤ（Electro Luminescence Display）等の種々の蓄積型表示装置を適用することも可能である。なお、ＰＤＰ等の自発光型の表示装置を適用する場合において、第２実施例のように画像の動き量に応じて輝度を調整する際には、表示装置自身の発光輝度を制御する発光制御ユニットを備えて、その発光輝度を調整するようにすればよい。
【０１５９】
Ｄ４．変形例４：
上記第１および第２実施例の駆動画像データ生成部５０や第３実施例の駆動画像データ生成部５０Ｇでは、フレームメモリ２０から読み出された読出画像データ信号ＲＶＤＳを順次第１のラッチ部５２０でラッチする構成としているが、第１のラッチ部５２０の前段に新たなフレームメモリを備える構成として、読出画像データ信号ＲＶＤＳを一旦、新たなフレームメモリに書き込み、新たなフレームメモリから出力される新たな読出画像データ信号を第１のラッチ部５２０で順次ラッチするようにしてもよい。この場合、動き量検出部６０に入力される画像データ信号としては、新たなフレームメモリに書き込まれる画像データ信号および新たなフレームメモリから読み出される画像データ信号とすればよい。
【０１６０】
Ｄ５．変形例５：
上記各実施例では、マスクデータの生成を読出画像データの各画素について実行する場合を例に説明しているが、置き換えを実行する画素についてのみマスクデータの生成を実行する構成としてもよい。ようするに、置き換えを実行する画素に対応するマスクデータを生成することができ、マスクデータの置き換えを実行することができれば、どのような構成であってもよい。
【０１６１】
Ｄ６．変形例６：
上記各実施例では、駆動画像データを生成するための、メモリ書込制御部、メモリ読出制御部、駆動画像データ生成部、動き量検出部の各ブロックをハードウェアにより構築した場合を例に説明しているが、少なくとも一部のブロックをＣＰＵがコンピュータプログラムを読み出して実行することによって実現するように、ソフトウェアにより構築するようにしてもよい。
【図面の簡単な説明】
【０１６２】
【図１】この発明の第１実施例としての画像データ処理装置を適用した画像表示システムの構成を示すブロック図である。
【図２】駆動画像データ生成部５０の構成の一例を示す概略ブロック図である。
【図３】マスクデータ生成部５３０の構成を示す概略ブロック図である。
【図４】マスクパラメータ参照テーブル５３６に格納されているテーブルデータについて示す説明図である。
【図５】生成される駆動画像データについて示す説明図である。
【図６】駆動画像データ信号の生成動作について示すタイミングチャートである。
【図７】生成される駆動画像データの第１の変形例について示す説明図である。
【図８】生成される駆動画像データの第２の変形例について示す説明図である。
【図９】生成される駆動画像データの第３の変形例について示す説明図である。
【図１０】第３の変形例としての駆動画像データ信号の生成動作について示すタイミングチャートである。
【図１１】生成される駆動画像データの第４の変形例について示す説明図である。
【図１２】生成される駆動画像データの第５の変形例について示す説明図である。
【図１３】生成される駆動画像データの第６の変形例について示す説明図である。
【図１４】第２実施例としての画像データ処理装置を適用した画像表示システムの構成を示すブロック図である。
【図１５】駆動画像データ生成部５０Ｆの構成を示す概略ブロック図である。
【図１６】マスクデータ生成部５３０Ｆの構成を示す概略ブロック図である。
【図１７】調光パラメータ参照テーブル５３８に格納されているテーブルデータについて示す説明図である。
【図１８】第３実施例としての画像データ処理装置を適用した画像表示システムの構成を示すブロック図である。
【図１９】駆動画像データ生成部５０Ｇの構成を示す概略ブロック図である。
【図２０】マスクデータ生成部５３０Ｇの構成を示す概略ブロック図である。
【図２１】テーブルデータの表す動き量Ｖｍに対するマスクパラメータＭＰの特性の変形例について示す説明図である。
【符号の説明】
【０１６３】
１０...信号変換部
２０...フレームメモリ
３０...メモリ書込制御部
４０...メモリ読出制御部
５０...駆動画像データ生成部
５０Ｆ...駆動画像データ生成部
５０Ｇ...駆動画像データ生成部
６０...動き量検出部
７０...液晶パネル駆動部
８０...ＣＰＵ
９０...メモリ
１００...液晶パネル
１１０...光源ユニット
１１０Ｆ...調光光源ユニット
１２０...投写光学系
５１０...マスク制御部
５２０...ラッチ部
５３０...マスクデータ生成部
５３０Ｆ...マスクデータ生成部
５３０Ｇ...マスクデータ生成部
５３２...演算部
５３４...演算選択部
５３６...マスクパラメータ参照テーブル
５３６Ｇ...マスクパラメータ記憶部
５３８...調光パラメータ参照テーブル
５４０...ラッチ部
５５０...マルチプレクサ（ＭＰＸ）
ＤＰ１...画像表示システム
ＤＰ２...画像表示システム
ＤＰ３...画像表示システム
【図１】
2006309252.tif 000003
【図２】
2006309252.tif 000004
【図３】
2006309252.tif 000005
【図４】
2006309252.tif 000006
【図５】
2006309252.tif 000007
【図６】
2006309252.tif 000008
【図７】
2006309252.tif 000009
【図８】
2006309252.tif 000010
【図９】
2006309252.tif 000011
【図１０】
2006309252.tif 000012
【図１１】
2006309252.tif 000013
【図１２】
2006309252.tif 000014
【図１３】
2006309252.tif 000015
【図１４】
2006309252.tif 000016
【図１５】
2006309252.tif 000017
【図１６】
2006309252.tif 000018
【図１７】
2006309252.tif 000019
【図１８】
2006309252.tif 000020
【図１９】
2006309252.tif 000021
【図２０】
2006309252.tif 000022
【図２１】
2006309252.tif 000023